(57)【要約】【課題】電子機器の電源状態の把握についてのユーザの利便性を向上させる電子機器及び通知方法を提供することを課題とする。【解決手段】実施形態の電子機器は制御手段と、通知手段を具備する。制御手段は、動作状態と待機状態とを遷移するように、電源状態を制御する制御手段であって、前記電源状態を、前記動作状態と、前記待機状態の１種である第１の待機状態又は前記待機状態の１種である第２の待機状態であって前記第１の待機状態と消費電力の異なる第２の待機状態との間で遷移させるように制御する。通知手段は、前記待機状態が、前記第１の待機状態であるか、第２の待機状態であるかを通知する。【選択図】図９
2013080292.tif 000002
【特許請求の範囲】
【請求項１】
動作状態と待機状態とを遷移するように、電源状態を制御する制御手段であって、前記
電源状態を、前記動作状態と、前記待機状態の１種である第１の待機状態又は前記待機状
態の１種である第２の待機状態であって前記第１の待機状態と消費電力の異なる第２の待
機状態との間で遷移させるように制御する制御手段と、
前記待機状態が、前記第１の待機状態であるか、第２の待機状態であるかを通知する通
知手段と、
を具備する電子機器。
【請求項２】
前記通知手段は、前記動作状態から前記待機状態に遷移前に前記待機状態が第１の待機
状態であるか第２の待機状態であるかを通知する請求項１記載の電子機器。
【請求項３】
前記通知手段は、前記待機状態から前記動作状態に遷移した後に前記待機状態が第１の
待機状態であったか第２の待機状態であったかを通知する請求項１記載の電子機器。
【請求項４】
前記動作状態から、前記第１の待機状態に遷移するか、前記第２の待機状態に遷移する
かの選択画面を提供する選択手段を更に具備し、
前記制御手段は、前記動作状態から前記選択手段によって選択された待機状態に遷移す
るように電源状態を制御する請求項１記載の電子機器。
【請求項５】
前記選択手段は、前記動作状態において、前記待機状態への遷移指示を受け付けた後に
前記選択画面を提供する請求項４記載の電子機器。
【請求項６】
前記通知手段は、前記待機状態における省エネルギー効果についての通知を行う請求項
１記載の電子機器。
【請求項７】
外部から電力の供給／遮断を切り換える切り替え手段と、
前記切り替え手段から電力を供給されて動作する電子部品であって、前記電子機器を統
合的に制御する第１の電子部品と、前記第１の電子部品とは異なる第２の電子部品と、
蓄電部と、
前記蓄電部から供給される電力よって動作する電源制御部であって、前記切り替え手段
を制御する電源制御部とを更に具備し、
前記動作状態では前記第１の電子部品及び前記第２の電子部品に外部からの電力が供給
され、
前記第１の待機状態では前記第１の電子部品に外部からの電力が供給され、
前記第２の待機状態で前記電源制御部に前記蓄電部からの電力が供給されている請求項
１記載の電子機器。
【請求項８】
前記第２の電子部品としてチューナを具備する請求項７記載の電子機器。
【請求項９】
前記第２の電子部品として表示部を更に具備する請求項８記載の電子機器。
【請求項１０】
電源状態を、動作状態と、待機状態の１種である第１の待機状態又は前記待機状態の１
種である第２の待機状態であって前記第１の待機状態と消費電力の異なる第２の待機状態
との間で遷移させ、
前記待機状態が、前記第１の待機状態であるか、第２の待機状態であるかを通知する通
知方法。
【発明の詳細な説明】
【技術分野】
【０００１】
本発明の実施の形態は。電子機器及び通知方法に関する。
【背景技術】
【０００２】
一般的に、テレビジョン装置やレコーダ等の電子機器では、ほぼ全ての内部構成に電力
が供給され映像の出力等の主要機能を実行可能な動作状態と、内部構成の内の例えば電子
機器全体を統合的に制御する回路のような主要回路にのみ電源が供給され、限定的な所定
機能のみを実行可能な待機状態（休止状態）の二つの電源状態が存在する場合が多い。
【先行技術文献】
【特許文献】
【０００３】
【特許文献１】特開２００９−２５１９４７号公報
【発明の概要】
【発明が解決しようとする課題】
【０００４】
しかし、上記２つ以外の電源状態が存在したり、待機状態が複数存在したりするような
場合には、この電子機器の電源状態についてユーザが適宜把握することは困難である。
【０００５】
本発明は上記に鑑みたものであり、電子機器の電源状態の把握についてのユーザの利便
性を向上させる電子機器及び通知方法を提供することを課題とする。
【課題を解決するための手段】
【０００６】
実施形態の電子機器は制御手段と、通知手段を具備する。制御手段は、動作状態と待機
状態とを遷移するように、電源状態を制御する制御手段であって、前記電源状態を、前記
動作状態と、前記待機状態の１種である第１の待機状態又は前記待機状態の１種である第
２の待機状態であって前記第１の待機状態と消費電力の異なる第２の待機状態との間で遷
移させるように制御する。通信手段は、前記待機状態が、前記第１の待機状態であるか、
第２の待機状態であるかを通知する。
【図面の簡単な説明】
【０００７】
【図１】実施形態におけるＤＴＶの内部構造の一例を示すブロック図。
【図２】実施形態におけるＤＴＶの電源供給機能に関するブロック図。
【図３】実施形態における動作モードから待機モードへ遷移するときの表示画面の一例を示す概念図。
【図４】実施形態における待機モードから動作モードへ遷移するときの表示画面の一例を示す概念図。
【図５】実施形態における待機モード選択画面の一例を示す概念図。
【図６】実施形態における省エネ効果表示画面の一例を示す概念図。
【図７】実施形態における動作モードから待機モードへの電源モードの遷移時の処理の一例を示すフロー図。
【図８】実施形態に待機モードおけるから動作モードへの電源モードの遷移時の処理の一例を示すフロー図。
【図９】実施形態における各種表示のタイミングの例を示した概念図。
【発明を実施するための形態】
【０００８】
実施形態を図面を参照して説明する。
【０００９】
図１は、本実施形態におけるＤＴＶ１の内部構造の一例を示すブロック図である。なお
、本実施の形態では、電子機器をＤＴＶに搭載した場合について説明するが、これに限定
されず、放送受信装置、放送受信機能付き携帯電話、及び放送受信装置が搭載された映像
記録再生装置等に使用することが可能であり、また、ネットワークを通じて放送局から配
信される番組を受信することができる放送受信装置、及びＰＣ（Personal Computer）等
にも使用することが可能であり、これらに限定されない。
【００１０】
ＤＴＶ１は、例えばチューナ、オーディオアンプ、及び信号処理部等の電子装置を格納
する本体と、ＬＣＤ（Liquid Crystal Display）からなる表示部１２０と、音声を出力す
るスピーカ１１０とを有するデジタルテレビジョン（ＤＴＶ：Digital Television）であ
る。ＤＴＶ１は、プラグ１２３を介して外部から電力を取得し、アンテナを介して地上波
デジタル放送波を受信して、受信した地上波デジタル放送波の信号を信号処理部でデコー
ドすることにより映像信号、及び音声信号を出力する。表示部１２０は、デコードされた
映像信号を処理して映像を表示する。スピーカ１１０は、デコードされた音声信号を入力
することで音声として出力する。
【００１１】
以下にて、ＤＴＶ１の内部構造に関して詳細に説明を行う。図１では、制御信号、デー
タ信号等の伝送ラインを細線の矢印で、電力供給ラインを太線の矢印で示している。
【００１２】
ＤＴＶ１は、装置各部の動作を制御する制御部１５６を備えている。制御部１５６は、
ＤＴＶ１の多くの機能を実行する電子部品が搭載されたメインボードに搭載されたマイコ
ン（Micro Computer）であり、ＣＰＵ（Central Processing Unit）等を有している。制
御部１５６は、操作部１１６から入力される操作信号や、リモートコントローラ１１７か
ら送信され受光部１１８を介して受信される操作信号に応じて、ＲＯＭ（Read Only Memo
ry）１５７に予め記憶されたシステム制御プログラム及び各種処理プログラムを起動させ
る。制御部１５６は、起動したプログラムに従って、ＲＡＭ（Random Access Memory）１
５８をワークメモリとして装置各部の動作を制御する。また、制御部１５６は各種機能を
実行するための処理部を有している。この制御部１５６の内部構成について図２でさらに
詳細に説明を行う。
【００１３】
入力端子１４４は、ＢＳ／ＣＳデジタル放送受信用のアンテナ１４３が受信した衛星デ
ジタルテレビジョン放送信号を衛星デジタル放送用のチューナ１４５に供給する。チュー
ナ１４５は、受信したデジタル放送信号のチューニングを行い、チューニングしたデジタ
ル放送信号をＰＳＫ（Phase Shift Keying）復調器１４６に送信する。ＰＳＫ復調器１４
６は、ＴＳ（Transport Stream）の復調を行い、復調したＴＳをＴＳ復号器１４７ａに供
給し、ＴＳ復号器１４７ａは、ＴＳをデジタル映像信信号、デジタル音声信号、およびデ
ータ信号を含むデジタル信号に復号した後、信号処理部１００にこれを出力する。ここで
のデジタル映像信号とはＤＴＶ１が出力可能な映像に関するデジタル信号であり、音声信
号はＤＴＶ１が出力可能な音声に関するデジタル信号である。またデータ信号とは、例え
ばＤＴＶ１が電子番組表であるＥＰＧ（Electronic Program Guide）を生成するときに使
用する情報である番組関連情報等を含む、放送波の放送番組に関する情報に関するデジタ
ル信号である。
【００１４】
入力端子１４９は、地上波デジタル放送受信用のアンテナ１４８が受信した地上波デジ
タルテレビジョン放送信号を地上波デジタル放送用のチューナ１５０に供給する。チュー
ナ１５０は、受信したデジタル放送信号のチューニングを行い、チューニングしたデジタ
ル放送信号をそれぞれのＯＦＤＭ（Orthogonal Frequency Division Multiplexing）復調
器１５１に送信する。ＯＦＤＭ復調器１５１は、ＴＳの復調を行い、復調したＴＳをそれ
ぞれのＴＳ復号器１４７ｂに供給し、ＴＳ復号器１４７ｂは、ＴＳをデジタル映像信号及
び音声信号等に復号した後、信号処理部１００にこれを出力する。また、ＤＴＶ１は、一
例として、アンテナ１４８が接続される入力端子１４９にＣＡＴＶ（Common Antenna Tel
evision）用のチューナを接続することによってＣＡＴＶも視聴することができる。
【００１５】
信号処理部１００は、ＴＳ復号器１４７ａ、１４７ｂ、または制御部１５６から出力さ
れたデジタル信号に、適切な信号処理を施す。より具体的には、信号処理部１００はデジ
タル信号を映像信号、デジタル音声信号、およびデータ信号に分離する。分離された映像
信号はグラフィック処理部１５２に、音声信号は音声処理部１５３に出力される。データ
信号は、制御部１５６に出力され各種処理に利用される。また、信号処理部１００は、ラ
イン入力端子１３７からの入力信号にも所定のデジタル信号処理を施す。
【００１６】
ＯＳＤ（On Screen Display）信号生成部１５４は、制御部１５６の制御に従って、Ｕ
Ｉ（ユーザ・インタフェース）画面などを表示するためのＯＳＤ信号を生成する。また信
号処理部１００においてデジタル放送信号から分離されたデータ信号は、ＯＳＤ信号生成
部１５４により適切なフォーマットのＯＳＤ信号に変換され、グラフィック処理部１５２
に出力される。
【００１７】
グラフィック処理部１５２は、信号処理部１００から出力されるデジタルの映像信号の
デコード処理を行う。デコードされた映像信号は、ＯＳＤ信号生成部１５４から出力され
たＯＳＤ信号と重ね合わせて合成され、映像処理部１５５に出力される。グラフィック処
理部１５２は、デコードされた映像信号またはＯＳＤ信号を、映像処理部１５５に選択的
に出力することもできる。
【００１８】
映像処理部１５５は、グラフィック処理部１５２から出力された信号に対して画質の補
正を行った上で、表示処理部１５５で表示可能なフォーマットの映像信号に変換する。映
像処理部１５５で変換された映像信号は、表示部１２０に表示される。
【００１９】
表示部１２０はＬＣＤによって構成されており、液晶パネル及びバックライトによって
ユーザに映像を提供する。
【００２０】
音声処理部１５３は、入力された音声信号を、スピーカ１１０で再生可能なフォーマッ
トの音声信号に変換する。変換された音声信号は、スピーカ１１０に出力されて再生され
る。
【００２１】
ＬＡＮ端子１３１は、ＬＡＮＩ／Ｆ１６４を介して制御部１５６に接続されている。Ｌ
ＡＮ端子１３１は、イーサネット（登録商標）を用いた一般的なＬＡＮ対応ポートとして
使用される。本実施形態においてＬＡＮ端子１３１にはＬＡＮケーブルが接続されており
、インターネット４と通信可能となっている。
【００２２】
ＵＳＢ（Universal Serial Bus）端子１３３は、ＵＳＢ Ｉ／Ｆ１６６を介して制御部
１５６に接続されている。ＵＳＢ端子１３３は、一般的なＵＳＢ対応ポートとして使用さ
れる。ＵＳＢ端子１３３には、例えばハブを介して、携帯電話、デジタルカメラ、各種メ
モリカードに対するカードリーダ／ライタ、ＨＤＤ、キーボード等が接続される。制御部
１５６は、ＵＳＢ端子１３３を介して接続される機器との間で、情報の通信（送受信）を
行うことができる。
【００２３】
ＨＤＤ１７０はＤＴＶ１に内蔵される磁気記憶媒体であってＤＴＶ１が有する各種情報
を記憶する機能を有している。また、ＨＤＤ１７０は、録画された放送された番組を映像
コンテンツとして記憶することも可能である。ＤＴＶ１はＨＤＤ１７０に記憶（録画）さ
れた映像コンテンツを再生し、表示部１２０に表示することができる。
【００２４】
電源部１２２は、プラグ１２３を介して外部より取得した電力に所定の変換処理を行っ
た後、変換後の電力をＤＴＶ１内の各モジュールに供給する機能を有している。
【００２５】
電源制御部１２１は、電源部１２２を制御する機能を有している。
【００２６】
電源部１２２及び電源制御部１２１について、以下にて図２を用いて詳細に説明する。
【００２７】
図２は本実施形態におけるＤＴＶ１の電源供給機能に関するブロック図である。
【００２８】
電源部１２２はリレー２１、ＡＣ／ＤＣ変換部２２及びＡＣ／ＤＣ変換部２３を有して
いる。
【００２９】
リレー２１はプラグ１２３を介して外部より供給された電力の供給経路を開閉する開閉
部品である。本実施形態ではリレー２１はラッチングリレーである。リレー２１が閉状態
（供給）となっているとき、電力はＡＣ／ＤＣ変換部２２及びＡＣ／ＤＣ変換部２３に供
給される。また、リレー２１が開状態（遮断）となっているときには、ＡＣ／ＤＣ変換部
２２及びＡＣ／ＤＣ変換部２３に外部からの電力は供給されない。本実施形態においてリ
レーを例示するが開閉機能を有する開閉手段であれば、他の機械スイッチ等であったとし
てもよい。
【００３０】
ＡＣ／ＤＣ変換部２２及びＡＣ／ＤＣ変換部２３は交流（ＡＣ：Alternating Current
）電源を直流（ＤＣ：Direct Current）電源に変換するコンバータであり、ＡＣ／ＤＣ変
換部２２は制御部１５６、電源制御部１２１、蓄電部２４等に対して変換後の電力を供給
し、ＡＣ／ＤＣ変換部２３は、例えばチューナや画像処理用のＩＣ（Integrated Circuit
）、表示部等の制御部１５６以外の他のモジュールに対して変換後の電力を供給する。
【００３１】
蓄電部２４は、供給された電力を蓄電する機能を有しており、本実施形態ではキャパシ
タを例に挙げて説明する。蓄電部２４はＡＣ／ＤＣ変換部２２より供給される電力を蓄電
し、蓄電された電力を電源制御部１２１に供給する機能を有している。これによりリレー
２１が開状態のときでも、電源制御部１２１は蓄電部２４より供給される電力によって動
作することができる。また、本実施形態において蓄電部２４としてキャパシタを例に挙げ
て説明しているが、蓄電可能なモジュールであればこれに限定されず、鉛蓄電池、リチウ
ムイオン電池等の他の蓄電池等であってもよい。
【００３２】
信号判別部２５は、リモートコントローラ１１７より送信され、受光部１１８によって
受信した信号を受け取り、この信号が所定の信号であるか否かを判別する機能を有してい
る。例えば、リモートコントローラ１１７が赤外線リモコンであれば、信号判別部２５は
、操作機器ＣＤから送信される赤外線の信号に光電変換を施し、変換された情報に基づい
て、受信した指示が所定の信号であるか否かを判別する。信号判別部２５が受け取った信
号が所定の信号である場合には、電源制御部１２１はこの信号に対応する所定の動作を実
行し、所定の信号と異なっている場合には信号判別部２５はこの信号を制御部１５６に対
して送信する。本実施形態において上述の所定の信号としては、電源制御信号が一例とし
て挙げられる。一般的に汎用的な赤外線リモコンでは、電源の供給をＯＮ／ＯＦＦする操
作キーは単一であり、この操作キーの押下により交互に電源の供給のＯＮ／ＯＦＦが制御
される。従って、赤外線リモコンから送信される電源の供給をＯＮ／ＯＦＦする信号も単
一のものとなる。この電源の供給をＯＮ／ＯＦＦための信号をここで電源制御信号と呼ぶ
。所定の条件下（後に説明する、電源状態が第２の待機モード）で受信した信号が電源制
御信号であると信号判別部２５が判別すると、電源制御部１２１はリレー制御部２６によ
ってリレー２１の制御信号を送信する。
【００３３】
リレー制御部２６はリレー２１に対してリレーの開閉を制御するための信号を送信する
機能を有している。電源制御部１２１は電源制御信号を受信すると、ＤＴＶ１が所定の状
況（電源状態が第２の待機モード）にある場合には、現在リレー２１を開状態と制御して
いるか閉状態と制御しているかを参照して、この参照結果に対応したリレー２１の制御を
行う。
【００３４】
待機モード制御部２７はユーザからの指示又はデフォルトの設定に基づいてＤＴＶ１の
待機モードを制御する機能を有している。ＤＴＶ１は３つの電源モードを有している。３
つの電源モードの一つは、ほぼ全ての内部モジュールに対して外部からの電力が供給され
、チューナ１４５、１５０で受信した放送を表示部１２０に出画することのできる動作モ
ードである。また動作モードとは異なる電源モードの一つは、放送波の受信、出画に関す
るモジュールには電力が供給されておらず、制御部１５６等のみに外部からの電力が供給
されている第１の待機モード（待機モードＡ）である。さらに、もう一つの電源モードは
、ＤＴＶ１の内部モジュールのほぼ全てに外部からの電力が供給されておらず、蓄電部２
４に蓄電された電力によって電力制御部１２１が動作している第２の待機モード（待機モ
ードＢ）である。
【００３５】
電源モードが動作モードの場合には、待機モード制御部２７は電源部１２２に指示を送
り、ＡＣ／ＤＣ変換部２３を動作させ、制御部１５６以外のチューニング・出画等に関す
る他の内部モジュールに対して電力を供給させるように電源部１２２を制御する。
【００３６】
電源モードが第１の待機モード（待機モードＡ）で待機を行う場合、待機モード制御部
２７は電源部１２２に指示を送り、ＡＣ／ＤＣ変換部２３を動作させず、他の内部モジュ
ールに対して電力を供給させないように電源部１２２を制御する。
【００３７】
電源モードが第２の待機モード（待機モードＢ）の場合には、待機モード制御部２７は
その旨を電源制御部１２１に送信する。電源制御部１２１は第２の待機モード（待機モー
ドＢ）において、電源制御信号を受信するとリレー２１の開閉を行う。第２の待機モード
（待機モードＢ）で待機状態となっているとき、リレー２１が開状態となっているため、
ＡＣ／ＤＣ変換部２２及びＡＣ／ＤＣ変換部２３には外部からの電力が供給されない。第
２の待機モード（待機モードＢ）で待機状態となっている場合には、蓄電部２４に蓄電さ
れた電力によって電源制御部１２１のみが動作する。
【００３８】
ＤＴＶ１が動作モードである場合、第１の待機モード（待機モードＡ）または第２の待
機モード（待機モードＢ）のどちらかの待機モードに遷移することが可能であり、ＤＴＶ
１が待機モードである場合、第１の待機モード（待機モードＡ）または第２の待機モード
（待機モードＢ）のそれぞれから動作モードに遷移することができる。
【００３９】
第１の待機モード（待機モードＡ）と第２の待機モード（待機モードＢ）とを比較する
と、第１の待機モード（待機モードＡ）は外部から供給された電力によって制御部１５６
が動作する待機モードであり、第２の待機モード（待機モードＢ）は外部から供給された
電力によって動作せず、蓄電部２４に蓄電された電力によって電源制御部１２１が動作す
る待機モードである。つまり、第２の待機モード（待機モードＢ）は第１の待機モード（
待機モードＡ）と比較して外部から供給される電力の消費量が少ない待機モードであると
いえる。
【００４０】
また、本実施形態において、制御部１５６は電源制御部１２１より多くの機能を実行す
ることが可能であり、回路規模が電源制御部１２１より大きい。これにより、制御部１５
６の電力の消費量は電源制御部１２１より大きく、第２の待機モード（待機モードＢ）は
第１の待機モード（待機モードＡ）に比較して消費電力の少ない待機モードであるともい
える。
【００４１】
ＯＳＤ作成部２８は、電源モードに関する情報をユーザに提供するための画像を作成す
る機能を有している。ＯＳＤ作成部２８は所定のタイミングで電源モードに関する情報を
ユーザに提供するための画像の情報を作成し、ＯＳＤ信号生成部１５４に対して送信する
。これにより、電源モードに関する情報をユーザに提供するための画像を表示部１２０に
表示して、ユーザに通知することができる。
【００４２】
次に、この電源モードに関する情報の表示例について図３乃至図６を用いて説明を行う
。
【００４３】
図３は、本実施形態における動作モードから待機モードへ遷移するときの表示画面の一
例を示す概念図である。
【００４４】
表示部１２０には待機モード表示画面３１が表示されている。待機モード表示画面３１
は、ＤＴＶ１は動作モードから待機モードへと遷移するときに表示される画面であり、ユ
ーザにこれから遷移する待機モードの表示を行う。図３では、動作モードから第２の待機
モード（待機モードＢ）に遷移する場合の例を示している。
【００４５】
図４は、本実施形態における待機モードから動作モードへ遷移するときの表示画面の一
例を示す概念図である。
【００４６】
表示部１２０には待機モード表示画面４１が表示されている。待機モード表示画面４１
は、ＤＴＶ１は待機モードから動作モードへと遷移するときに表示される画面であり、ユ
ーザに動作モードに遷移する前の待機モードの表示を行う。図４では、第２の待機モード
（待機モードＢ）から動作モードに遷移する場合の例を示している。
【００４７】
図３の待機モード表示画面３１は動作モードから待機モードへ遷移する直前に、図４の
待機モード表示画面４１は待機モードから動作モードに遷移した直後に表示される。図３
、図４ではリモートコントローラ１１７からの指示に基づいて画面の表示を終了させる例
を示している。ユーザがリモートコントローラ１１７の確認ボタンを押すことで、ＤＴＶ
１は表示を終了させる。この場合には、ユーザが確認ボタンを押すまで表示が消えないた
め、例えば動作状態となってすぐにユーザがＤＴＶ１の前にいないような場合でも表示は
続き、ＤＴＶ１を視聴しようとするユーザが待機モードを確実に把握することができる。
また、待機モード表示画面３１または待機モード表示画面４１の表示終了のタイミングと
しては上記に限定されず、例えば表示開始から所定時間経過後に表示を終了するとしても
よい。この場合には所定時間経過後、表示が自動的に終了するため、表示終了のための操
作をユーザが行う必要がなく、ユーザの手間を省くことができる。
【００４８】
このように、ＤＴＶ１はユーザに対して、電源モードについての情報を通知することが
できる。
【００４９】
図５は、本実施形態における待機モード選択画面５１の一例を示す概念図である。
【００５０】
待機モード制御部２７は動作モード中に、第１の待機モード（待機モードＡ）で待機状
態に遷移するか、第２の待機モード（待機モードＢ）で待機状態に遷移するかをユーザに
選択させるための画面である待機モード選択画面５１の表示を制御する。待機モード選択
画面５１の表示タイミングとしては、動作モード中にユーザのメニュー画面での選択等に
よって待機モード選択画面５１を表示させるとしてもよいし、動作モードから待機モード
に遷移する際（待機モードへの遷移指示の後）に表示させるとしてもよい。
【００５１】
ユーザはリモートコントローラ１１７の操作によって、待機モードを選択することがで
き、ＤＴＶ１はこの選択に基づいて次回の動作モードから待機モードへの遷移を実行する
。
【００５２】
待機モード選択画面５１によって待機モードが選択されると、ＤＴＶ１はこれに基づい
た処理を実行する。例えば、待機モードＢが選択されると、待機モード制御部２７がこの
旨を電源制御部１２１に対して送信し、電源制御部１２１は次回電源制御信号を受信する
と、リレー２１を開状態として外部電源からの経路を遮断する。この際には、制御部１５
６は通電されない状態に移行するための各種処理を実行する必要がある場合があるので、
電源制御部１２１はリレー２１を開状態とする前に制御部１５６に所定時間後にリレー２
１を開とする旨の信号を送信するとしても良い。また、この信号を送信しないとしても、
制御部１５６から通電されない状態に移行するための各種処理の実行終了の旨の通知を受
け取った後に、電源制御部１２１はリレー２１を開状態とするとしてもよい。
【００５３】
また、待機モードＡが選択されると、待機モード制御部２７がこの旨を電源制御部１２
１に対して送信し、次回電源制御信号を受信すると制御部１５６はＡＣ／ＤＣ変換部２３
への電源経路を遮断するように電源部１２２に対して指示を行う。
【００５４】
また、待機モードから動作モードへの遷移処理としては、待機モードＡで電源制御信号
を受信した場合には、制御部１５６がＡＣ／ＤＣ変換部２３への電源経路を通すように電
源部１２２に指示を行い、待機モードＢで電源制御信号を受信した場合には、電源制御部
１２１がリレー２１を閉状態とする。
【００５５】
図６は、本実施形態における省エネ効果表示画面６１の一例を示す概念図である。
【００５６】
待機モード制御部２７は、第２の待機モード（待機モードＢ）で待機しているときの省
エネ（省エネルギー）効果を算出し、ＯＳＤ作成部２８にＯＳＤを作成させることによっ
て、省エネ効果表示画面６１を表示部１２０に表示させることが可能である。図６が省エ
ネ効果表示画面６１であり、ここに第２の待機モード（待機モードＢ）で待機していると
きの省エネ効果が表示される。
【００５７】
省エネ効果表示画面６１は１時間あたりでの省エネ効果が表示されている。この省エネ
効果については、電力量の表示であってもよいし、これを金額に換算した値であってもよ
い。また、これらの値は１時間あたりの値でもよいし、待機モード中の待機時間によって
消費される値であってもよい。さらに、この省エネ効果の算出方法としては様々な方法が
考えられ、例えば第１の待機モード（待機モードＡ）と比較した第２の待機モード（待機
モードＢ）の省エネ効果であっても良いし、動作モードと比較した第２の待機モード（待
機モードＢ）の省エネ効果であってもよい。前者の省エネ効果の算出方法としては、第１
の待機モード（待機モードＡ）で待機した場合の待機電力から第２の待機モード（待機モ
ードＢ）での待機モードでの待機電力を減算した値が考えられる。また、この減算した値
としても、第１の待機モード（待機モードＡ）で制御部１５６が動作することによる消費
電力から、第２の待機モード（待機モードＢ）電源制御部１２１が動作することによる消
費電力の値を減算するとしても良いし、第１の待機モード（待機モードＡ）で消費する外
部電力から、第２の待機モード（待機モードＢ）で消費する外部電力を減算した値であっ
てもよい。または上記算出方法の組み合わせであったとしてもよい。
【００５８】
図３乃至図６にて示した表示はあくまで一例であり、表示される文字の内容、表示形式
等は当然これに限定されない。
【００５９】
次に、図７及び図８を用いて電源モードに関する処理フローを説明する。
【００６０】
図７は、本実施形態における動作モードから待機モードへの電源モードの遷移時の処理
の一例を示すフロー図である。
【００６１】
まず、ＤＴＶ１は動作モードにて動作している（ステップＳ７１）とき、待機モード制
御部２７は次回遷移する待機モードの選択を行う（ステップＳ７２）。このとき、待機モ
ード選択画面５１を表示してユーザに待機モードの選択を行わせるとしても良いし、また
は、その時の各種状況に合わせえて選択するとしてもよい。この状況としては、一日のう
ちの時間帯、季節、取得した社会的に省エネがどれだけ必要であるかの情報等の様々な要
因による状況が考えられる。
【００６２】
次に、ＤＴＶ１はユーザからのリモートコントローラ１１７や操作部１１６に設けられ
た電源スイッチの操作、又はオフタイマー等の機能によって電源モードを待機モードに遷
移するか否かを判別する（ステップＳ７３）。待機モードに遷移しないときは（ステップ
Ｓ７３：Ｎｏ）、処理はステップＳ７３に戻る。
【００６３】
電源モードを待機モードに遷移するとき（ステップＳ７３：Ｙｅｓ）、ＤＴＶ１はこれ
から遷移する待機モードを表示する（待機モード表示画面３１を表示）（ステップＳ７４
）。
【００６４】
次に、ＤＴＶ１は省エネ効果表示画面６１を表示する（ステップＳ７５）。このとき、
表示する省エネ効果としては、１時間あたりの省エネ効果を表示することが好適である。
【００６５】
最後に、ＤＴＶ１はステップＳ７２で選択された待機モードに遷移する（ステップＳ７
６）。
【００６６】
以上で、動作モードから待機モードへの電源モードの遷移時の処理の一例は終了となる
。次に、待機モードから動作モードへの電源モードの遷移時の処理について説明する。
【００６７】
図８は、本実施形態における待機モードから動作モードへの電源モードの遷移時の処理
の一例を示すフロー図である。
【００６８】
まず、ＤＴＶ１は待機モードにて待機している（ステップＳ８１）とき、ＤＴＶ１は動
作モードに遷移するか否かを判別する（ステップＳ８２）。この場合、オンタイマー等に
よって自動的に動作モードに遷移する場合と、ユーザからのリモートコントローラ１１７
や操作部１１６に設けられた電源スイッチの操作によって遷移の支持が行われた場合が考
えられる。どちらの場合であっても、制御部１５６又は電源制御部１２１が上記の判別を
行う。ここで動作モードに遷移しないとき（ステップＳ８２：Ｎｏ）、処理はステップＳ
８２に戻り、ＤＴＶ１は待機モードを続行する。
【００６９】
ステップＳ８２で動作モードに遷移すると判別したとき（ステップＳ８２：Ｙｅｓ）、
ＤＴＶ１は待機モードから動作モードに遷移する（ステップＳ８３）。
【００７０】
次に、ＤＴＶ１は待機モード表示画面４１を表示し、復帰前の待機モードに関する表示
を行う（ステップＳ８４）。
【００７１】
更に、ＤＴＶ１は省エネ効果表示画面６１を表示する（ステップＳ８５）。このとき、
表示する省エネ効果としては、１時間あたりの省エネ効果であってもよいし、待機モード
となっていた時間全体での省エネ効果であってもよい。
【００７２】
以上で、待機モードから動作モードへの電源モードの遷移時の処理の一例は終了となる
。
【００７３】
図７及び図８での表示処理については様々なパターンが考えられ、上述の処理における
全ての表示を行うとしても良いし、一部を表示するとしてもよい。また同じ表示であって
も、異なるタイミングで表示してもよい。次に、図３乃至図６にて示した画面の表示のタ
イミングについての例を複数挙げる。
【００７４】
図９は、本実施形態における各種表示のタイミングの例を示した概念図である。図９に
は表示処理のパターンＡ乃至Ｅが示されている。
【００７５】
表示処理パターンＡは、動作モードから待機モードへの遷移時に待機モード表示画面３
１を表示する例である。
【００７６】
表示処理パターンＢは、待機モードから動作モードへの遷移時に待機モード表示画面４
１を表示する例である。
【００７７】
表示処理パターンＣは、動作モードから待機モードへの遷移前に待機モード選択画面５
１を表示する表示例である。また別の例としては、ＤＴＶ１は動作モード中の任意のタイ
ミングでユーザからの設定操作等によって待機モード選択画面５１を表示し、待機モード
を選択できる。
【００７８】
表示処理パターンＤは、動作モードから待機モードへの遷移時に待機モード選択画面５
１を表示する例である。この場合、ＤＴＶ１は電源ＯＦＦ指示がなされた後に待機モード
選択画面５１を表示し、待機モードを選択する。
【００７９】
表示処理パターンＥは、待機モードから動作モードへの遷移時に待機モード表示画面４
１及び省エネ効果表示画面６１を表示する例である。
【００８０】
上述のように、これらの表示の例は適宜組み合わせて表示するとしてもよい。
【００８１】
本実施形態におけるＤＴＶ１では、電源状態等に関する情報を好適なタイミングでユー
ザに通知することができ、電源状態の把握についてのユーザの利便性を向上させることが
できる。
【００８２】
また、本実施形態においては電源情報についての表示を行うことによってユーザに電源
情報の通知を行っていたが、これに限定されず、例えば音声等によってユーザに通知する
としてもよい。この場合待機モード選択部２７がスピーカ１１０を介して、通知に関する
音声出力を行う。
【００８３】
なお、本発明は上記実施形態そのままに限定されるものではなく、実施段階ではその要
旨を逸脱しない範囲で構成要素を変形して具現化できる。また、上記実施形態に開示され
ている複数の構成要素の適宜な組み合わせにより、種々の発明を形成できる。例えば、実
施形態に示される全構成要素から幾つかの構成要素を削除してもよい。さらに異なる実施
形態にわたる構成要素を適宜組み合わせてもよい。
【符号の説明】
【００８４】
１…ＤＴＶ、４…インターネット、１００…信号処理部、１１０…スピーカ、１１６…操
作部、１１７…リモートコントローラ、１１８…受光部、１２０…表示部、１２１…電源
制御部、１２２…電源部、１２３…プラグ、１３１…ＬＡＮ端子、１３３…ＵＳＢ端子、
１３７…ライン入力端子、１４３…アンテナ、１４４…入力端子、１４５…チューナ、１
４６…ＰＳＫ復調器、１４７…ＴＳ復号器、１４８…アンテナ、１４９…入力端子、１５
０…チューナ、１５１…ＯＦＤＭ復調器、１５２…グラフィック処理部、１５３…音声処
理部、１５４…信号生成部、１５５…映像処理部、１５６…制御部、１５７…ＲＯＭ、１
５８…ＲＡＭ、１６４…ＬＡＮＩ／Ｆ、１６６…ＵＳＢＩ／Ｆ、１７０…ＨＤＤ、２２…
リレー、２２、２３…ＡＣ／ＤＣ変換部、２４…蓄電部、２５…信号判別部、２６…リレ
ー制御部、２７…待機モード制御部、２８…ＯＳＤ作成部、３１…待機モード表示画面、
４１…待機モード表示画面、５１…待機モード選択画面、６１…省エネ効果表示画面。
【図１】
2013080292.tif 000003
【図２】
2013080292.tif 000004
【図３】
2013080292.tif 000005
【図４】
2013080292.tif 000006
【図５】
2013080292.tif 000007
【図６】
2013080292.tif 000008
【図７】
2013080292.tif 000009
【図８】
2013080292.tif 000010
【図９】
2013080292.tif 000011